(57)【要約】【課題】専用のストッパ部材を備えることなく振動リングの偏芯を規制することができ、しかもダンパ内部へ侵入した泥水をダンパ外部へ排出しやすい構造のダイナミックダンパを提供する。【解決手段】ハブの外周側にゴム状弾性体製の弾性体を介して振動リングを連結してなるダイナミックダンパである。ハブは、シャフトに固定されるハブ本体および外向きフランジ部を一体に有する。振動リングは、振動リング本体および筒状部を一体に有する。筒状部は、外向きフランジ部の外周側に配置され、筒状部の内周面に、外向きフランジ部の外周端部との間に微少な径方向間隙を設定する内向き突起状のストッパが円周上複数設けられている。筒状部の内周面におけるストッパを設けた部位以外の円周上部位には、筒状部の先端部へ向けて内径寸法が徐々に拡大する向きに傾斜するテーパ面状の泥水排出面が設けられている。【選択図】図１
2015209884.tif 000002
【特許請求の範囲】
【請求項１】
ハブの外周側にゴム状弾性体製の弾性体を介して振動リングを連結してなるダイナミックダンパであって、
前記ハブは、シャフトに固定される環状のハブ本体と、前記ハブ本体から径方向外方へ向けて延設された外向きフランジ部とを一体に有し、
前記振動リングは、前記ハブ本体の外周側に前記弾性体を介して連結された環状の振動リング本体と、前記振動リング本体から軸方向一方へ向けて延設された筒状部とを一体に有し、
前記筒状部は、前記外向きフランジ部の外周側に配置され、前記筒状部の内周面に、前記外向きフランジ部の外周端部との間に微少な径方向間隙を設定する内向き突起状のストッパが円周上複数設けられ、
前記筒状部の内周面における前記ストッパを設けた部位以外の円周上部位に、前記筒状部の先端部へ向けて内径寸法が徐々に拡大する向きに傾斜するテーパ面状の泥水排出面が設けられていることを特徴とするダイナミックダンパ。
【発明の詳細な説明】
【技術分野】
【０００１】
本発明は、ダンパに係り、更に詳しくは、内燃機関のプロペラシャフト等の回転駆動系に生起される捩り振動を吸収するダイナミックダンパに関する。ダイナミックダンパはティルガーと称されることもある。
【背景技術】
【０００２】
従来から図３に示すように、ハブ５２の外周側にゴム状弾性体製の弾性体５３を介して振動リング５４を連結してなる構造のダイナミックダンパ５１が知られており、またこの種のダイナミックダンパ５１では通常、弾性体５３によるバネ定数が低く設定されるため、回転数の増加に伴う振動リング５４の偏芯によって弾性体５３が破壊されることがないように、振動リング５４の偏芯を規制するためのストッパ部材５５がハブ５２に取り付けられている。
【０００３】
上記図３の従来技術では、ストッパ部材５５はハブ５２および振動リング５４に対し別部品とされているが、このストッパ部材５５の機能（振動リング５４の偏芯を規制すること）をハブ５２および振動リング５４に直接担わせれば、部品点数の削減を実現することができ、このような観点からして、ダイナミックダンパの構成を以下のようにすることが考えられる。
【０００４】
すなわち、本発明に対する比較例として図４に示すように、ダイナミックダンパ１は、ハブ２の外周側にゴム状弾性体製の弾性体３を介して振動リング４を連結してなる基本構造を備える。ハブ２は、シャフトに固定される環状のハブ本体２ａと、このハブ本体２ａから径方向外方へ向けて延設された外向きフランジ部２ｂとを一体に有する。振動リング４は、ハブ本体２ａの外周側に弾性体３を介して連結された環状の振動リング本体４ａと、この振動リング本体４ａから軸方向一方へ向けて延設された筒状部４ｂとを一体に有する。筒状部４ｂは、外向きフランジ部２ｂの外周側に配置され、この筒状部４ｂの内周面と外向きフランジ部２ｂの外周端部との間に微少な径方向間隙ｃ０を設定し、これを振動リング４の偏芯を規制するための径方向ストッパ部７とする（振動リング４が偏芯しようとすると筒状部４ｂの内周面が外向きフランジ部２ｂの外周端部に当接するため、それ以上に及ぶ偏芯を規制することができる）。
【０００５】
上記図４の比較例に係るダンパ１によれば、専用のストッパ部材が省略されるため、部品点数を削減することができる。
【０００６】
しかしながらこの図４の比較例に係るダンパ１によると、以下の問題がある。
【０００７】
すなわち、ダンパ１を装着するプロペラシャフトは車両底部に取り付けられるため、実車走行時に泥水がかかり、一部の泥水が前記筒状部４ｂおよび外向きフランジ部２ｂ間の径方向間隙ｃ０からダンパ内部Ａへ侵入し、侵入した泥水はダンパ外部Ｂへ排出されにくく、泥水が乾いた後の泥が振動リング４の表面に付着する。したがってダンパ１として、狙いの固有振動数が変化したり、円周上のバランス状態が悪化して回転時の振動が増大してしまう等の問題が発生する虞がある。
【０００８】
尚、前記径方向間隙ｃ０の大きさを拡大すればこの分、侵入した泥水を排出しやすくなるが、この場合には、前記径方向ストッパ部７としての機能が低下してしまうことになる。図４の技術は公知ではない。
【先行技術文献】
【特許文献】
【０００９】
【特許文献１】特開平１１−１６６５９４号公報
【発明の概要】
【発明が解決しようとする課題】
【００１０】
本発明は以上の点に鑑みて、専用のストッパ部材を備えることなく振動リングの偏芯を規制することができ、しかもダンパ内部へ侵入した泥水をダンパ外部へ排出しやすい構造のダイナミックダンパを提供することを目的とする。
【課題を解決するための手段】
【００１１】
上記目的を達成するため、本発明のダイナミックダンパは、ハブの外周側にゴム状弾性体製の弾性体を介して振動リングを連結してなるダイナミックダンパであって、前記ハブは、シャフトに固定される環状のハブ本体と、前記ハブ本体から径方向外方へ向けて延設された外向きフランジ部とを一体に有し、前記振動リングは、前記ハブ本体の外周側に前記弾性体を介して連結された環状の振動リング本体と、前記振動リング本体から軸方向一方へ向けて延設された筒状部とを一体に有し、前記筒状部は、前記外向きフランジ部の外周側に配置され、前記筒状部の内周面に、前記外向きフランジ部の外周端部との間に微少な径方向間隙を設定する内向き突起状のストッパが円周上複数設けられ、前記筒状部の内周面における前記ストッパを設けた部位以外の円周上部位に、前記筒状部の先端部へ向けて内径寸法が徐々に拡大する向きに傾斜するテーパ面状の泥水排出面が設けられていることを特徴とする。
【００１２】
上記構成を備える本発明のダイナミックダンパにおいては、振動リングの筒状部の内周面に内向き突起状のストッパが設けられ、この内向き突起状のストッパがハブの外向きフランジ部の外周端部との間に微少な径方向間隙を設定しているため、ここに振動リングの偏芯を規制するための径方向ストッパ部が設けられている。
【００１３】
また、内向き突起状のストッパは円周上複数設けられているため、互いに隣り合うストッパ間においては筒状部および外向きフランジ間の径方向間隙を比較的大きく設定することが可能とされており、よってこの比較的大きな径方向間隙から、ダンパ内部へ侵入した泥水がダンパ外部へ排出されやすい。
【００１４】
またこれに加えて、互いに隣り合うストッパ間における筒状部の内周面に、筒状部の先端部へ向けて内径寸法が徐々に拡大する向きに傾斜するテーパ面状の泥水排出面が設けられているため、ダンパ内部へ侵入した泥水は回転時、遠心力によりこのテーパ面状の泥水排出面に沿って移動しやすく、よってこのテーパ面状の泥水排出面からダンパ外部へ排出されやすい。
【発明の効果】
【００１５】
したがって本発明によれば、上記したように振動リングの筒状部の内周面に設けた内向き突起状のストッパの働きにより、専用のストッパ部材を備えることなく振動リングの偏芯を規制することが可能とされる。
【００１６】
また、内向き突起状のストッパが円周上複数設けられているのに関連して互いに隣り合うストッパ間に比較的大きな径方向間隙が設定されることから泥水を排出しやすく、またこれに加えて、互いに隣り合うストッパ間における筒状部の内周面にテーパ面状の泥水排出面が設けられているため、泥水をこのテーパ面状の泥水排出面から排出しやすい。したがって、このストッパ間における比較的大きな径方向間隙およびテーパ面状の泥水排出面の働きにより、ダンパ内部へ侵入した泥水をダンパ外部へ排出しやすい構造のダイナミックダンパを提供することが可能とされる。
【図面の簡単な説明】
【００１７】
【図１】本発明の実施例に係るダイナミックダンパの断面図
【図２】同ダイナミックダンパにおける振動リングの斜視図
【図３】従来例に係るダイナミックダンパの断面図
【図４】比較例に係るダイナミックダンパの断面図
【発明を実施するための形態】
【００１８】
本発明には、以下の実施形態が含まれる。
（１）本発明は、泥水排水性向上ティルガーに係り、特に自動車の分野で用いられる。
（２）本発明は、偏芯によるゴム部の破壊、泥水の堆積を防止することを目的とする。
（３）本発明の構成としては、プロペラシャフトで使用するダイナミックダンパにおいて、回転数増加に伴う振動リング偏芯によるゴム部破壊を防止するストッパ機構を備え、泥水排水性を向上した仕様とする。また、遠心力による振動リングの変位を防止するストッパ機能を維持しつつ、振動リングの泥水堆積箇所の形状をテーパ形状とした仕様とする。
（４）振動リングの形状を一部テーパ形状としたことで、泥水が製品に付着しても、使用時の遠心力により、製品外に排出される。傾斜を設けて泥水を排出する。
（５）部分的に突起を設けてストッパとする。
（６）上記形状を適用することで、これまで堆積していた泥が、遠心力によりテーパ部に沿って外部に排出されるため、振動リングへの泥付着による固有振動数の変化およびアンバランス量増加に伴う振動の増加が低減できるようになる。
（７）回転数増加に伴い振動リングの偏芯が発生するが、部分的に設けた振動リングの凸で振動リングの偏芯を規制する。またティルガー空間に泥水が入った場合でも、回転数増加により遠心力が増加し、泥水が振動リングテーパー部を沿って外部に排出される。
【実施例】
【００１９】
つぎに本発明の実施例を図面にしたがって説明する。
【００２０】
図１は、本発明の実施例に係るダイナミックダンパ１の全体断面を示している。図２は、同ダイナミックダンパ１に備えられる振動リング４を単品状態の斜視図で示している。
【００２１】
当該実施例に係るダイナミックダンパ１は、ハブ２の外周側にゴム状弾性体製の弾性体３を介して振動リング４を連結した基本構造を備えている。弾性体３はその内周側に配置されたスリーブ５の外周面およびその外周側に配置された振動リング４の内周面に対し加硫接着され、スリーブ５がハブ２の外周面に嵌合されることによりハブ２に対して連結されている。したがって当該実施例では、ハブ２の外周側にスリーブ５および弾性体３を介して振動リング４が連結されている。
【００２２】
ハブ２は、シャフトに固定される環状のハブ本体２ａを有し、このハブ本体２ａの軸方向一方の端部から径方向外方へ向けて外向きフランジ部２ｂが一体に成形されている。
【００２３】
振動リング４は、ハブ本体２ａの外周側にスリーブ５および弾性体３を介して連結された環状の振動リング本体４ａを有し、この振動リング本体４ａの外周端部から軸方向一方へ向けて筒状部４ｂが一体に成形されている。筒状部４ｂは外向きフランジ部２ｂの外周側に配置されている。
【００２４】
また、この外向きフランジ部２ｂの外周側に配置された筒状部４ｂの内周面に、外向きフランジ部２ｂの外周端部との間に微少な径方向間隙ｃ１を設定する内向き突起状のストッパ４ｃが円周上複数設けられ、当該実施例では図２に示すように、この内向き突起状のストッパ４ｃが円周上６等配で設けられている。
【００２５】
また、筒状部４ｂの内周面におけるストッパ４ｂを設けた部位以外の円周上部位には、筒状部４ｂの先端部へ向けて内径寸法が徐々に拡大する向きに傾斜するテーパ面状の泥水排出面４ｄが設けられている。
【００２６】
更にまた、振動リング４における振動リング本体４ａの軸方向一方の端面から筒状部４ｂの内周面およびストッパ４ｃの内周面へかけて、ゴム状弾性体製の薄膜状の被膜部６が被着（加硫接着）され、この被膜部６は弾性体３と一体に成形されており、この被膜部６によって、ハブ２と振動リング４が金属接触するのが防止されている。
【００２７】
上記構成を備えるダイナミックダンパ１においては、振動リング４の筒状部４ｂの内周面に内向き突起状のストッパ４ｃが設けられ、この内向き突起状のストッパ４ｃがハブ２の外向きフランジ部２ｂの外周端部との間に微少な径方向間隙ｃ１を設定しているため、ここに振動リング４の偏芯を規制するための径方向ストッパ部７が設けられている。したがって先ずは、このストッパ４ｃないしストッパ部７の働きにより、専用のストッパ部材を備えることなく振動リング４の偏芯を規制することが可能とされている。
【００２８】
また、内向き突起状のストッパ４ｃが円周上複数設けられているため、互いに隣り合うストッパ４ｃ間においては筒状部４ｂおよび外向きフランジ部２ｂ間の径方向間隙ｃ２が比較的大きく設定されている。したがってこの比較的大きな径方向間隙ｃ２からダンパ内部Ａへ泥水が侵入しても、侵入した泥水はこの比較的大きな径方向間隙ｃ２からダンパ外部Ｂへ排出されやすい。
【００２９】
またこれに加えて、互いに隣り合うストッパ４ｃ間における筒状部４ｂの内周面に、筒状部４ｂの先端部へ向けて内径寸法が徐々に拡大する向きに傾斜するテーパ面状の泥水排出面４ｄが設けられているため、ダンパ内部Ａへ侵入した泥水は回転時、遠心力によりこのテーパ面状の泥水排出面４ｄに沿って移動しやすく、このテーパ面状の泥水排出面４ｄからダンパ外部Ｂへ排出されやすい。
【００３０】
したがって、このストッパ４ｃ間における比較的大きな径方向間隙ｃ２およびテーパ面状の泥水排出面４ｄの働きにより、ダンパ内部Ａへ侵入した泥水をダンパ外部Ｂへ排出しやすい構造のダイナミックダンパ１を提供することが可能とされている。
【符号の説明】
【００３１】
１  ダイナミックダンパ
２  ハブ
２ａ  ハブ本体
２ｂ  外向きフランジ部
３  弾性体
４  振動リング
４ａ  振動リング本体
４ｂ  筒状部
４ｃ  ストッパ
４ｄ  泥水排出面
５  スリーブ
６  被膜部
７  径方向ストッパ部
【図１】
2015209884.tif 000003
【図２】
2015209884.tif 000004
【図３】
2015209884.tif 000005
【図４】
2015209884.tif 000006